(57)【要約】【課題】  天然植物の抽出液からの芳香の発生が効率良く行なわれ、抽出液が有効に使用される芳香発生装置を提供する。【解決手段】  タンク２と酸化加熱用バーナ５とを備え、タンク２内に芳香性の植物抽出液が混入された燃料オイル１５が充填され、燃料オイル１５の気化ガスが酸化加熱用バーナ５において酸化加熱されることで芳香を発する芳香発生装置。【選択図】  図２
2007007367.tif 000002
【特許請求の範囲】
【請求項１】
タンクと酸化加熱用バーナとを備え、前記タンク内に芳香性の植物抽出液が混入された燃料オイルが充填され、前記燃料オイルの気化ガスが前記酸化加熱用バーナにおいて酸化加熱されることで芳香を発する芳香発生装置。
【発明の詳細な説明】
【技術分野】
【０００１】  この発明は、芳香発生装置に関する。
【背景技術】
【０００２】  最近においては各種の芳香発生装置が提供され、その一つとして天然植物から抽出した芳香性の液体により芳香を発生させるものがある。そして、この種の天然植物の抽出液を使用する芳香発生装置において、より高いリラックス効果が得られ、また、消臭効果、さらには、小虫の忌避効果が発揮されることが知られている。しかしながら、上記抽出液からの芳香の発生量は限られ、人が認知するに十分な芳香を得るには多量の抽出液を用いる必要があり、コストが高くなる問題点があった。
【発明の開示】
【発明が解決しようとする課題】
【０００３】  この発明では、天然植物の抽出液からの芳香の発生が効率良く行なわれ、抽出液が有効に使用される芳香発生装置を提供する。
【課題を解決するための手段】
【０００４】  この発明では、タンクと酸化加熱用バーナとを備え、前記タンク内に芳香性の植物抽出液が混入された燃料オイルが充填され、前記燃料オイルの気化ガスが前記酸化加熱用バーナにおいて酸化加熱されることで芳香を発する芳香発生装置を提供する。【０００５】  この発明の芳香発生装置によれば、酸化加熱用バーナによる燃料オイルの酸化加熱の継続による６０〜８０℃の温度環境において燃料オイルに含まれる植物抽出液の気化が促進されることで芳香が効率良く発生される。通常植物抽出液は消臭性能、小虫の忌避性能を持つ場合が多く、それら性能も併せ発揮される。この発明の芳香発生装置は、家庭用、施設用等使用場所に対応して適宜形態に構成される。
【発明の効果】
【０００６】  この発明によれば、天然植物の抽出液からの芳香の発生性能に優れ、植物抽出液が有効に用いられて安価に使用される芳香発生装置が得られ、この発明の芳香発生装置は一般家庭、さらには病院、老人擁護施設等において有効に用いられる。
【発明を実施するための最良の形態】
【０００７】  図１はこの発明の芳香発生装置の第１の実施形態の斜視図、図２は同断面図である。【０００８】  芳香発生装置１は家庭用のもので小型であり、全体が陶器製で、タンクとしての上方の開放した燃料オイル１５が充填されたビン体２と、ビン体２の上部開口３に装着されるバーナ装着皿４と、バーナ装着皿４に装着される酸化加熱用バーナ５と、複数の芳香発生穴７を備える使用に際して用いられる蓋８と、消火に際して用いられる蓋９とからなる。【０００９】  上記酸化加熱用バーナ５は、フェルトよりなる円柱状の燃料オイル１５の吸い上げ体１０が下方から嵌入固定される金属製の筒体１２の上部に、表面に酸化触媒である白金が付設されたセラミック繊維の不織布１４が装着された金属製の環体１３が外嵌め螺着されて取り付けられて構成されている。【００１０】  上記吸い上げ体１０の上端は不織布１４との間に空間Ｓを保つように配置され、これにより不織布１４に液状の燃料オイル１５が直接に至らない構成としている。不織布１４に多量の燃料オイル１５が含まれる状態となると酸化加熱温度が高くなって燃料オイル１５のこげ臭が発生して芳香が損なわれ、また、燃料オイル１５も無駄に消費されることとなる。【００１１】  また、不織布１４としてセラミック繊維を用いていることによっても高い芳香性能を有している。従来この種の酸化加熱用野バーナにおいては白金を付設する材料として一般にグラスファイバーが用いられ、そのグラスファイバーを固めるのに接着剤を要したもので、酸化加熱時にその燃焼臭が若干発生したが、セラミック繊維の不織布１４はそのような接着剤を全く使用することなく形成できることで接着剤の燃焼臭の発生は全くない。【００１２】  ビン体２内に充填される燃料オイル１５としては、イソプロピルアルコールもしくはエチルアルコールに２〜８重量％の割合で植物抽出液を混入したものを用いる。植物抽出液としては、ヒノキ、ヒバ、ユーカリ等の樹木、ラベンダー等の花、オレンジやレモン等の芳香性に優れるものが単独で、また複数のものが所望により適宜組み合わされて用いられる。植物抽出液は通常芳香性能とともに消臭性能を発揮し、また、ヒノキ、ヒバ、ユーカリ等は小虫の忌避効果を発揮する。【００１３】  使用に際しては、蓋８を付けない状態においてライター等を用い酸化加熱用バーナの不織布１４部分を加熱し、この加熱により酸化触媒である白金の表面が活性されることで空間Ｓ付近の蒸気化された燃料オイル１５の酸化が開始され、以降はその酸化に伴う加熱の継続による６０〜８０℃の温度環境において燃料オイル１５に含まれる植物抽出液の気化が促進されることで芳香が効率良く発生される。酸化加熱が始まった段階においては蓋８を付けることで酸化加熱用バーナ５の上部が覆われて見栄えの良い状態で使用でき、また、加熱部分である不織布１４に直接手が触れることが防がれる。【００１４】  使用を止める際には、蓋８に替えて蓋９を装着する。この蓋９の装着により酸化加熱用バーナ５部分への酸素の供給が遮断されて燃料オイル１５の酸化加熱が停止され、それに伴って芳香の発生も停止する。【００１５】  図３はこの発明の芳香発生装置の第２の実施形態の簡略構成図ある。この実施形態に示すものは病院や老人養護施設等において用いられる大型のものである。この実施形態の芳香発生装置１００は第１の実施形態の芳香発生装置１と同様の機能を持つもので、第１の実施形態における要素と同様の要素には同様の図番を付している。【００１６】  芳香発生装置１００において１０１は機器ケースで、機器ケース１０１内に燃料オイルの充填用タンク１０２が備えられ、その上部に酸化加熱用バーナ５が配置されている。酸化加熱用バーナ５上には水平方向にスライド開閉するスライド蓋１０４が設けられるとともに、さらにその上部に電子ライター１０５が設けられている。１０６はスライド蓋１０４の駆動モータである。【００１７】  使用に際して機器ケース１０１前面に設けられた作動スイッチ１１０において作動開始操作されることで駆動モータ１０６と電子ライター１０５とが連動し、スライド蓋１０４が点線位置に開かれるとともに電子ライター１０５により酸化加熱用バーナ５の不織布１４の白金が加熱され、これにより燃料オイル１５による酸化加熱とともに芳香が効率良く発生し、その芳香は機器ケース１０１の上部後方から後部上方に形成された芳香発生穴７から外部に放出される。作動スイッチ１１０が作動停止操作されることでスライド蓋１０４が閉じられて酸化加熱が停止される。
【図面の簡単な説明】
【図１】  この発明の芳香発生装置の第１の実施形態の斜視図
【図２】  この発明の芳香発生装置の第１の実施形態の使用状態の断面図
【図３】  この発明の芳香発生装置の第２の実施形態の簡略構成図
【符号の説明】
１    芳香発生装置
２    ビン体（タンク）
５    酸化加熱用バーナ
１５  燃料オイル
【図１】
2007007367.tif 000003
【図２】
2007007367.tif 000004
【図３】
2007007367.tif 000005